(57)【要約】　　　（修正有）【課題】社会福祉に係わる専門家を容易に捜すことができる適任ソーシャルワーカー紹介システムを提供する。【解決手段】公的資格を有する社会福祉士や精神保健福祉士及びケアマネージャー・介護福祉士・教員・看護士を専門分野毎に地域別に且つ得意分野別にデータベース１に登録しておく。福祉や医療・教育・介護・援助の情報がほしい人のためにその人の心身の状態に沿って問題を解決する能力を有する適任者を簡単に検索し直接紹介する事ができ、当事者了解の上訪問してケアを行うことができるネットワークシステム。【選択図】　　　図１
2004013304.tif 000002
【特許請求の範囲】
【請求項１】
心身の傷害や心の病気或いは事故や病気・高齢化などによって福祉制度や医療制度及び介護サービスや医療サービスの内容を知りたい時、又は思春期の問題を抱えた人の教育機関を知りたい時に、各自の心身の状態や希望事項を添付して登録しておけば、地理的に近く各自の問題解決に最も精通した社会福祉士や精神保健福祉士、又はケアマネージャー・介護福祉士・教員・看護士などの専らソーシャルワーカーと呼ばれている専門家を検索して紹介することができるネットワークシステム。
【発明の詳細な説明】
【０００１】
【発明に属する技術分野】
本発明は、心身の障害や心の病気或いは事故や病気・高齢化などのため急いで福祉制度や医療制度及び介護サービスや医療サービスの内容を調べなければならなくなった時、各自の状態によって受けられる制度やサービスが複雑であり、相談窓口が限られている上必ずしもそれぞれの問題に精通した専門のソーシャルワーカーにめぐり合うことが難しいという現社会福祉制度及び医療制度・教育制度上の限界があった。　本発明は、これを解決する手段に関するものである。
【０００２】
【従来の技術】
従来、福祉制度や医療制度及び介護サービスや医療サービス又は教育制度の内容を調べなければならなくなった時は、福祉事務所や保健所又は児童相談所或いは教育機関を訪ね受けられる制度やサービスの内容を相談することが多かった。しかし、各自の状態によっては受けられる制度やサービスが複雑であり担当者も全ての問題に精通している訳ではなく、各自にとって適任のソーシャルワーカーをどのようにして探してよいか解からず、現在の制度では必ずしも万全ではないところがあった。
【０００３】
【発明が解決しようとする課題】
本発明が解決しようとする課題は、公的資格を有する社会福祉士や精神保健福祉士及びケアマネージャー・介護福祉士・教員・看護士を前もって専門分野毎に地域別に且つ得意分野別にデータベースに登録しておき、各自から要望があった時個別状況や問題点を分析し、地理的に近く各自の問題解決に最も精通した社会福祉士や精神保健福祉士、又はケアマネージャー・介護福祉士・教員・看護士などの専らソーシャルワーカーと呼ばれている専門家を検索して紹介することができるようにすることである。
【０００４】
【課題を解決するための手段】
１）　公的資格を有する社会福祉士や精神保健福祉士及びケアマネージャー・介護福祉士・教員・看護士を前もって専門分野毎に地域別に且つ得意分野別にデータベースに登録し特殊な能力の分析や検索を容易にしたネットワークシステムを形成する。
２）　福祉や医療・教育・介護・援助の情報がほしい人は自己の心身の状態や希望事項及び個別状況や問題点を所定の様式に従ってインプットして登録し、ネットワークの管理者が個別状況の確認と不明な部分を補い問題点を分析し、解決に最も適した専門家を紹介できるようにした前記１）のネットワークシステム。
【０００５】
【作用】
本発明では、福祉や医療・教育・介護・援助の情報がほしい人にその人の心身の状態に合った制度や介護サービス・医療サービス・教育機関に精通した専門家を紹介する事ができ、反面専門家はこれまで医療機関等や福祉施設に従属する立場が多かった為、医療機関や福祉施設側の要求に迎合せざるを得ない点があったが、本発明によって完全に独立した経営ができ、能力を活かして社会福祉資源・医療機関・教育機関等を利用して援助を求める人々の立場に立った提言が容易となるため利用者の選択肢の幅が増えることになり、結果として福祉サービスや医療サービス・教育サービスが向上することになる。
【０００６】
【発明の実施の形態】
本発明は、事前に公的資格を有する社会福祉士や精神保健福祉士及びケアマネージャー・介護福祉士・教員・看護士を前もって専門分野毎に地域別に且つ得意分野別にデータベースに登録しておき、福祉や医療・教育・介護・援助の情報がほしい人はその人の心身の個別状況や問題点を所定の様式に沿って住所氏名年齢などの他、介護度や既往症・病歴・希望事項などを記入しネットワークに登録することによって、ネットワークの管理者が個別状況の確認と不明な部分を補い問題点を分析し、解決に最も精通した専門家の紹介を行なうことができる。
そのため、利用者は専門家の独立したアドバイスを参考にして介護サービスや医療サービス・教育サービスを自由に選択でき、各種サービスを提供する側は良質のサービスを開発し維持する事により利用者を確保することができる。
【０００７】
【実施例】
以下、本発明の実施例を図面に基づいて説明する。本実施例は福祉や医療・教育・介護・援助の情報をほしい人がその人の心身の状態を所定の様式に沿って住所氏名年齢などの他、介護度や既往症・病歴・希望事項など個別状況を記入してネットワークに登録し、ネットワークの管理者（オペレーターを通じて）が確認と分析を行ない自己の問題解決に最も適任の専門家を紹介し、訪問を受けることになった例である。
図１は実施例の全体概要図である。
図中１はホストコンピューターのデータベース、２はネットワーク管理者の端末機、２ａは相談者の個別データ、２ｂは事前に登録されたソーシャルワーカーの専門分野データ、２ｃは管理者側のオペレーター、２ｄはオペレーターによる確認の電話、３は事前登録するソーシャルワーカー側の端末機、３ａは当該相談に最も適任と判定されたソーシャルワーカー、４は相談者側の端末機、５は訪問を受けるところである。
この実施例では、福祉や医療・教育・介護・援助の情報をほしい人がその人の心身の状態を所定の様式に沿ってシステムの管理者に登録し、最も適任の専門家を紹介してもらっている例である。　その後は、適任とされたソーシャルワーカーが相談者宅を訪問して具体的なアドバイスを行なうこととなる。
【０００８】
【発明の効果】
以上の様に本発明によれば、事前に公的資格を有する社会福祉士や精神保健福祉士及びケアマネージャー・介護福祉士・教員・看護士を前もって専門分野毎に地域別に且つ得意分野別にデータベースに登録しておき、福祉や医療・教育・介護・援助の情報がほしい人はその人の心身の状態に沿った問題解決の為の専門知識を有する適任者を直接紹介してもらうことができる。　適任とされたソーシャルワーカーは相談者宅を訪れ、有償で必要なアドバイスや手続きを代行する。
【図面の簡単な説明】
【図１】実施例の全体概要図である。
【符号の説明】
１　　ホストコンピューターのデータベース
２　　システム管理者の端末機
２ａ　相談者の個別データ
２ｂ　ソーシャルワーカーの専門分野データ
２ｃ　　管理者側のオペレーター
２ｄ　オペレーターによる確認電話
３　　　全国のソーシャルワーカーの端末機
３ａ　適任とされる専門家の端末機
４　　　相談者
５　　訪問を受ける
【図１】
2004013304.tif 000003